(57)【要約】【課題】容器内に収納した釣り餌を押圧して釣り餌注出口から注出する釣り餌容器において、容器内の釣り餌を最後まで空気の噛み込みなく、しまった釣り餌を押出すことができる釣り餌容器を提供すること。【解決手段】本発明の一実施形態に係わる釣り餌容器１は、一端側に釣り餌押し出し孔５ａを有する容器本体２と、容器本体内を長手方向に進退する押圧体１１を有し、容器本体の内周面は、押圧体の外周縁と摺動可能な第１の内周面と、第１の内周面に連続し他端側に拡径する第２の内周面を備える。【選択図】        図１
2011030472.tif 000002
【特許請求の範囲】
【請求項１】
一端側に釣り餌押し出し孔を有する容器本体と、前記容器本体内を長手方向に進退する押圧体を有し、前記容器本体の内周面は、一端側に形成された押圧体の外周縁が摺動可能な第１の内周面と、第１の内周面に連続し他端側に拡径する第２の内周面を有することを特徴とする釣り餌容器。
【請求項２】
前記容器本体の釣り餌押し出し孔の開閉を切換える開閉弁を設けたことを特徴とする請求項１記載の釣り餌容器。
【発明の詳細な説明】
【技術分野】
【０００１】
本発明は、収納した釣り餌を押圧して釣り餌注出口から注出する釣り餌容器に関する。
【背景技術】
【０００２】
従来から釣りにおいて練り餌等の軟らかい餌を使用するときは、容器内に収納した釣り餌を押圧して釣り餌注出口から注出するポンプ状の釣り餌容器が使用されている。（例えば特許文献１参照）
これらの釣り餌容器は、容器本体内から必要な量の釣り餌を押し出し、押し出された釣り餌を釣り針に取り付けていた。
【先行技術文献】
【特許文献】
【０００３】
【特許文献１】特開２００５−３０４３１３号公報
【発明の概要】
【発明が解決しようとする課題】
【０００４】
しかしながら、この釣り餌容器は、内筒体の円筒部の内部に、気端側から釣り餌（うどん）を入れ、ピストン本体を、円筒内部に内周面に沿って摺動させつつ、内筒体の先端方向へ進退するため、釣り餌とピストン本体の間に空気が入った状態で釣り餌を押圧することになり易く、容器内の釣り餌を最後まで押出す際に、餌に空気が噛み込み、しまった釣り餌を作り出すことができない。
【０００５】
本発明の目的は、前記欠点に鑑み、容器内に収納した釣り餌を押圧して釣り餌注出口から注出する釣り餌容器において、容器内の釣り餌を最後まで空気の噛み込みなく、しまった釣り餌を押出すことである。
【課題を解決するための手段】
【０００６】
上記課題を解決するために、
請求項１に係わる本発明は、一端側に釣り餌押し出し孔を有する容器本体と、前記容器本体内を長手方向に進退する押圧体を有し、前記容器本体の内周面は、一端側に形成された押圧体の外周縁が摺動可能な第１の内周面と、第１の内周面に連続し他端側に拡径する第２の内周面を有することを構成の要旨とするものである。
【０００７】
この請求項１の記載の発明によれば、容器本体に釣り餌を入れ、押圧体を釣り餌押し出し孔側に移動させると、第２の内周面と押圧体の外周は当接していないことから、容器内の釣り餌と押圧体の間に挟まれた空気は、押圧体の外周縁と第２の内周面との隙間部から逃げることができ、釣り餌を押圧体の先端面で押すことができる状態にとなる、押圧体を更に釣り餌押し出し孔側へ移動させ、第１の内周面の領域内で釣り餌を密閉収納することができるので、釣り餌注出口から絞り出す際、最後まで空気の噛み込みなく、しまった釣り餌を押出すことができる。
【０００８】
また、請求項２に記載の発明は、請求項１の記載の発明において、前記容器本体の釣り餌押し出し孔の開閉を切換える開閉弁を設けたことを構成の要旨とするものである。
【０００９】
この請求項２の記載の発明によれば、容器本体に釣り餌を入れ、押圧体を釣り餌押し出し孔側に移動させる際、開閉弁を閉じて押圧体を移動させることにより、容器内の釣り餌と押圧体の間に挟まれた空気を、効果的に押圧体の外周縁と第２の内周面との隙間部から逃がすことができる。
【発明の効果】
【００１０】
本発明によれば、容器内に収納した釣り餌を押圧して釣り餌注出口から注出する釣り餌容器において、容器内の釣り餌を最後まで空気の噛み込みなく、しまった釣り餌を押出すことができる。
【図面の簡単な説明】
【００１１】
【図１】本発明の一実施形態に係る釣り餌容器の断面図。
【図２】図１の釣り餌容器に釣り餌を入れた状態の断面図。
【図３】要部の側面図
【発明を実施するための最良の形態】
【００１２】
以下、本発明の実施形態を図面に基づき説明すると、図１から図３は本発明の実施例で、図１は釣り餌容器の断面図、図２は図１の釣り餌容器に釣り餌を入れた状態の断面図、図３は釣り餌注出口の側面図である。
【００１３】
本発明の釣り餌容器１は、内部に釣り餌の収納部Ｓを有する容器本体２とこの容器本体２に設けられた釣り餌押出し孔５ａを有し、容器本体２の釣り餌の収納部Ｓには収納した釣り餌を釣り餌押出し孔５ａに向けて押圧する押圧体１１を備えている。
【００１４】
容器本体２は、内部が収納部Ｓとなる透光性を有する合成樹脂で形成した筒状の胴部３とこの胴部３の上下の開口を閉塞するように螺合して取り付けた金属や合成樹脂で形成した上蓋４と底蓋７を有している。
胴部３が透光性を有することで収納した釣り餌の状態が胴部３を通して外側から視認できるようになっている。
また、胴部３の内周面は、釣り餌押出し孔５ａが設けられた一端側に、内径が略同一な第１の内周面（ストレート面）と、第１の内周面に連続し他端側に拡径する第２の内周面が形成されている。
【００１５】
容器本体２の一端側には、中央に釣り餌押出し用のノズル５が配設された底蓋７が取り付けられている。
また、ノズル５には、釣り餌通路を開閉する開閉弁８が配設され、レバー６を操作することで釣り餌押出し孔の開閉を切り替えることができる。
【００１６】
容器本体２の他端側には上蓋４が取り付けられ、この上蓋４の中央部には、外面に雄ネジ部を有する支持桿９が貫通し、回動可能に螺合されている。
容器本体２の収容部Ｓにて、支持桿９の端部に、円盤状の押圧体１１が取り付けられている。
【００１７】
支持桿９は上蓋４の外方にて屈曲してハンドル部１０を形成し、その先端部に回動可能にハンドル摘み１２が取り付けられている。
上蓋４と支持桿９は上蓋４の中央部で螺合していることから、ハンドル部１０の回動により、支持桿９が長手方向に移動し、端部に取り付けられた押圧体１１が釣り餌を押圧し、釣り餌押出し孔５ａから釣り餌を押出すことができるようになっている。
【００１８】
押圧体１１は、外周に沿ってゴム、合成樹脂からなるパッキン１１ａが配設されており、その外周は容器本体２の第２の内周面１５とは当設しない状態で長手方向に移動し、更に釣り餌押出し孔５ａ方向に移動させると、その外周は第１の内周面１４に摺動し、収納部Ｓ内の釣り餌を胴部３の内面からこすり取りながら釣り餌が残らないように釣り餌押し出孔５ａ側へ押圧する。
【００１９】
この釣り餌容器１を使用するときは、上蓋４を胴部３から取り外して、収納部Ｓ内の第１の内周面（ストレート面）の領域まで練り餌等の釣り餌１６を収納し、上蓋４を取り付けて押圧体１１、支持桿８を図１のように所定の位置に配した後に、ハンドル摘み１２を摘んでハンドル１０を回動し、押圧体１１を釣り餌押し出孔５ａ（下方）に向けて移動させる。
【００２０】
押圧体１１の移動にともなって、第２の内周面１５と押圧体の外周は当接していないことから、容器内の釣り餌と押圧体の間に挟まれた空気は、押圧体の外周縁と第２の内周面との隙間部１３から逃げることができ、釣り餌を押圧体の先端面で押すことができる状態にとなる、押圧体を更に釣り餌押し出し孔側へ移動させ、第１の内周面（ストレート面）１４の領域内で釣り餌を密閉収納することができるので、釣り餌注出口から絞り出す際、最後まで空気の噛み込みなく、しまった釣り餌を押出すことができる。
【００２１】
また、容器本体２のノズル５に設けられた釣り餌通路を開閉する開閉弁８のレバー６を操作し、釣り餌押出し孔を閉じて押圧体を移動させることにより、容器内の釣り餌と押圧体の間に挟まれた空気を、効果的に押圧体の外周縁と第２の内周面との隙間部から逃がすことができる。
【００２２】
本願の実施例では、押圧体１１を外面に雄ネジ部を有する支持桿で支持し、ハンドル１０の回動で容器本体２の収納部Ｓ内を移動させて釣り餌を押圧するようにしたが、ハンドル１０が回動する以外にレバーを用いて押圧体１１を動かしたり、押圧体１１を直接手で押して移動させることができるようにするなど他の構造を用いてもよい。
【符号の説明】
【００２３】
１    釣り餌容器
２    容器本体
３    胴部
５ａ  釣り餌押し出孔
８    開閉弁
９    支持桿
１１  押圧体
１３  隙間部
１４  第１の内周面
１５  第２の内周面
【図１】
2011030472.tif 000003
【図２】
2011030472.tif 000004
【図３】
2011030472.tif 000005